【手続補正書】
【提出日】平成23年10月7日(2011.10.7)
【手続補正１】
【補正対象書類名】特許請求の範囲
【補正対象項目名】請求項１
【補正方法】変更
【補正の内容】
【請求項１】
ルイス酸型反応物質によって触媒される重付加または重縮合反応のための潜伏性触媒化合物の使用であって、潜伏性触媒化合物は、金属に結合した光活性成分（ＰＩ）を含み、重付加または重縮合反応は、触媒が２００〜８００ｎｍの波長範囲の電磁放射線に対する曝露によって放出されて開始されることを特徴とし、潜伏性触媒は、式ＩまたはＩＩ
Ｍｅ（ＰＩ）(m-x)Ａx（Ｉ）
Ａx（ＰＩ）(m-1-x)Ｍｅ−Ｏ−Ｍｅ（ＰＩ）(m-1-x)Ａx（ＩＩ）
［式中、
Ｍｅは、Ｓｎ、Ｂｉ、Ａｌ、ＺｒまたはＴｉであり；
ｍは、１からＭｅの配位数までの整数を表し；
ｘは、０〜（ｍ−１）の整数であり；
Ａは、Ｃ1−Ｃ20アルキル、ハロゲン、Ｃ7−Ｃ30アリールアルキル、Ｃ1−Ｃ20アルコキシ、Ｃ2−Ｃ20アルカノイルオキシ、Ｃ6−Ｃ18アリール、あるいは１つ以上のＣ1−Ｃ20アルキルによって置換されたＣ6−Ｃ18アリールであり；ｘが１より大きい場合は、Ａは同一であるか、または異なっており；
ＰＩは、互いに独立して、式（Ｚ）、（Ｂ）、（Ｃ）、（Ｄ）、（Ｅ）、（Ｆ）、（Ｇ）、（Ｈ）、（Ｊ）、（Ｋ）、（Ｌ）または（Ｍ）
【化１】
2011501774.tif 000001
の基であり、
式中、ｙは、０または１であり；
Ｒ1、Ｒ2およびＲ3は、互いに独立して、水素、Ｃ1−Ｃ6−アルキル、Ｃ1−Ｃ4−ハロゲンアルキル、Ｃ8−Ｃ18アリール、Ｃ7−Ｃ30アラルキル、Ｃ1−Ｃ4−アルコキシ、Ｃ1−Ｃ4アルキルチオ、ハロゲン、Ｎ（Ｃ1−Ｃ4−アルキル）2、または−Ｏ−もしくはＮＲ10によって場合により中断されたＮ（Ｃ4−Ｃ7−シクロアルキル）であり；
Ｒ4は、水素、Ｃ1−Ｃ4−アルキル、Ｃ1−Ｃ4−ハロゲンアルキル、フェニル、Ｎ（Ｃ1−Ｃ4−アルキル）2、ＣＯＯＣＨ3、
【化２】
2011501774.tif 000002
であり、あるいは
Ｒ3およびＲ4は、ともに、Ｓ、Ｏ、ＮＲ10、ＣＨ2またはＣＨＣＨ3であり；
ｎ、ｎ’およびｎ"は、互いに独立して１〜１０であり；
ｑは、１〜４であり；
Ｒ5は、水素またはＣ1−Ｃ18−アルコキシであり；
Ｒ6は、水素、Ｃ1−Ｃ18−アルキル、Ｃ1−Ｃ12ヒドロキシアルキル、Ｃ1−Ｃ18−アルコキシ、ＯＨ、−ＯＣＨ2ＣＨ2−ＯＲ18、モルホリノ、Ｃ1−Ｃ18−アルキル−Ｓ−、ＨＳ−、ＮＲ19Ｒ20、Ｈ2Ｃ＝ＣＨ−、Ｈ2Ｃ＝Ｃ（ＣＨ3）−、Ｈ2Ｃ＝ＣＨ−ＣＯ−、Ｈ2Ｃ＝ＣＨ―（ＣＯ）Ｏ−、Ｈ2Ｃ＝Ｃ（ＣＨ3）−ＣＯ−、Ｈ2Ｃ＝Ｃ（ＣＨ3）−（ＣＯ）Ｏ−、
【化３】
2011501774.tif 000003
であり；
ａ、ｂおよびｃは、互いに独立して１〜３であり；
Ｇ1およびＧ2は、互いに独立して、ポリマー構造の末端基、好ましくは水素またはメチルであり；
Ｙ1およびＹ3は、互いに独立して、直接結合、Ｏ、（ＣＯ）Ｏ、ＮＲ10、Ｃ1−Ｃ20アルキレン、Ｃ1−Ｃ20アルキレン−Ｏ−、Ｃ1−Ｃ20アルキレン−（ＣＯ）Ｏ−、または
【化４】
2011501774.tif 000004
であり；
Ｙ2は、直接結合またはＣ1−Ｃ20−アルキレンであり；
Ｒ7およびＲ8は、互いに独立して、水素、Ｃ1−Ｃ6−アルキル、非置換フェニルもしくはベンジル：またはＣ1−Ｃ12−アルキルによって置換されたフェニルもしくはベンジルであり；あるいはＲ7およびＲ8は、それらが結合した炭素原子と一緒になって、シクロヘキシル環を形成し；
Ｒ9は、ＯＨまたはＮＲ19Ｒ20であり；
Ｒ10は、水素、Ｃ1−Ｃ18−アルキル、Ｃ2−Ｃ18アルケニル、Ｃ1−Ｃ12ヒドロキシアルキルまたはＣ1−Ｃ12ハロゲノアルキルであり；
Ｒ11、Ｒ12、Ｒ13、Ｒ14およびＲ15は、互いに独立して、水素、非置換Ｃ1−Ｃ12−アルキル、もしくはＯＨによって置換されたＣ1−Ｃ12−アルキル、Ｃ1−Ｃ4−アルコキシ、フェニル、ナフチル、ハロゲンまたはＣＮであり；アルキル鎖は、１つ以上のＯによって場合により中断されており；あるいはＲ11、Ｒ12、Ｒ13、Ｒ14およびＲ15は、互いに独立して、Ｃ1−Ｃ4−アルコキシ、Ｃ1−Ｃ4−アルキルチオ、ＮＲ19Ｒ20、Ｈ2Ｃ＝ＣＨ−ＣＯ−、Ｈ2Ｃ＝ＣＨ−（ＣＯ）Ｏ−、Ｈ2Ｃ＝Ｃ（ＣＨ3）−ＣＯ−またはＨ2Ｃ＝Ｃ（ＣＨ3）−（ＣＯ）Ｏ−であり；
Ｒ16は、フェニルまたはナフチルであり、いずれも非置換であるか、またはハロゲン、Ｃ1−Ｃ12アルキル、Ｃ3−Ｃ8シクロアルキル、ベンジル、フェノキシカルボニル、Ｃ2−Ｃ12アルコキシカルボニル、ＯＲ21、ＳＲ22、ＳＯＲ22、ＳＯ2Ｒ22および／またはＮＲ19Ｒ20によって１〜７回にわたって置換されており、置換基ＯＲ21、ＳＲ22およびＮＲ19Ｒ20は、フェニルまたはナフチル環上のさらなる置換基とともに基Ｒ21、Ｒ22、Ｒ19および／またはＲ20を介して５員または６員環を場合によって形成し；あるいはそれらの各々が、フェニル、または１つ以上のＯＲ21、ＳＲ22および／またはＮＲ19Ｒ20によって置換されたフェニルによって置換されており；あるいは
Ｒ16は、チオキサンチル、または
【化５】
2011501774.tif 000005
であり；
Ｒ17は、水素；非置換Ｃ1−Ｃ20アルキル、または１つ以上のハロゲン、ＯＲ21もしくはフェニルによって置換されたＣ1−Ｃ20アルキルであり；あるいはＣ3−Ｃ8シクロアルキルであり；あるいは非置換であるか、または１つ以上のＣ1−Ｃ6−アルキル、フェニル、ハロゲン、ＯＲ21、ＳＲ22および／またはＮＲ19Ｒ20によって置換されたフェニルであり；あるいは非置換であるか、または１つ以上のＣ1−Ｃ6アルキル、フェニル、ＯＲ21、ＳＲ22および／またはＮＲ19Ｒ20によって置換されたＣ1−Ｃ20アルカノイルもしくはベンゾイルであり；あるいはＣ2−Ｃ12アルコキシカルボニル、フェノキシカルボニル、ＣＮ、−ＣＯＮＲ19Ｒ20、ＮＯ2、Ｃ1−Ｃ4ハロアルキル、Ｓ（Ｏ）d−Ｃ1−Ｃ6アルキル；Ｓ（Ｏ）d−フェニルであり、
ｄは、１または２であり；
Ｒ18は、水素、
【化６】
2011501774.tif 000006
であり；
Ｒ19およびＲ20は、互いに独立して、水素、Ｃ1−Ｃ20アルキル、Ｃ2−Ｃ4ヒドロキシアルキル、Ｃ2−Ｃ10アルコキシアルキル、Ｃ2−Ｃ5アルケニル、Ｃ3−Ｃ8シクロアルキル、フェニル−Ｃ1−Ｃ3アルキル、Ｃ1−Ｃ8アルカノイル、Ｃ3−Ｃ12アルケノイル、ベンゾイルであり；あるいはそれぞれが非置換であるか、またはＣ1−Ｃ12アルキル、ベンゾイルもしくはＣ1−Ｃ12アルコキシによって置換されたフェニルまたはナフチルであり；あるいはＲ19およびＲ20は、ともに、ＯもしくはＮＲ21によって場合により中断され、かつ／またはＯＨ、Ｃ1−Ｃ4アルコキシ、Ｃ2−Ｃ4アルカノイルオキシもしくはベンゾイルオキシによって場合により置換されたＣ2−Ｃ6アルキレンであり、あるいはそれらが結合したＮ原子と一緒になって、
【化７】
2011501774.tif 000007
であり；
Ｒ21およびＲ22は、互いに独立して、水素、Ｃ1−Ｃ20アルキル、Ｃ2−Ｃ12アルケニル、Ｃ3−Ｃ8シクロアルキル、フェニル−Ｃ1−Ｃ3アルキルであり；ＯＨ、ＳＨ、ＣＮ、Ｃ1−Ｃ8アルカノイル、非置換であるか、または１つ以上のＣ1−Ｃ6アルキル、ハロゲン、ＯＨ、Ｃ1−Ｃ4アルコキシもしくはＣ1−Ｃ4アルキルスルファニルで置換されたベンゾイルで置換されたＣ1−Ｃ8アルキルであり；あるいはそれぞれが非置換であるか、またはハロゲン、Ｃ1−Ｃ12アルキル、Ｃ1−Ｃ12アルコキシ、フェニル−Ｃ1−Ｃ3アルキルオキシ、フェノキシ、Ｃ1−Ｃ12アルキルスルファニル、フェニルスルファニル、−Ｎ（Ｃ1−Ｃ12アルキル）2、ジフェニルアミノによって置換されたフェニルまたはナフチルであり；
Ｒ23は、Ｃ1−Ｃ12アルキル、フェニル、４−モルホリノフェニル、Ｃ1−Ｃ12アルキルフェニル、またはＯによって場合により中断されたＣ3−Ｃ8シクロアルキルで置換されたフェニルであり；
Ｒ24は、水素、メチルまたはエチルであり；
Ｒ25は、水素またはＣ1−Ｃ4アルキルであり；
Ｒ26およびＲ27は、互いに独立して、非置換であるか、またはＣ1−Ｃ4アルコキシもしくはフェニルによって置換されたＣ1−Ｃ20アルキルであり、あるいは
Ｒ26およびＲ27は、ともにＣ2−Ｃ4アルキレンであり；
Ｒ30は、水素、Ｃ1−Ｃ4アルキル、Ｃ2−Ｃ5アルカノイル、（Ｃ1−Ｃ4アルコキシ）カルボニルであり、あるいはフェニル、ベンゾイルもしくはベンゾイルフェニルによって置換されたアルキルであり；あるいはフェニルであり；または１つ以上のＲ34によって置換されたフェニルであり；
Ｒ31は、Ｃ1−Ｃ12アルキル、Ｃ1−Ｃ4アルコキシ、Ｎ（Ｃ1−Ｃ4アルキル）2、フェニル、または１つ以上のＲ33によって置換されたフェニルであり；
Ｒ32は、Ｃ1−Ｃ12アルキル、Ｃ1−Ｃ4アルコキシ、フェニル、または１つ以上のＲ33によって置換されたフェニルであり；
Ｒ33は、Ｃ1−Ｃ4アルキル、Ｃ1−Ｃ8アルコキシ、Ｃ1−Ｃ6チオアルキル、Ｎ（Ｃ1−Ｃ4アルキル）2、ベンゾイル、または１つ以上のＲ34によって置換されたベンゾイルであり；
Ｒ34は、Ｃ1−Ｃ4アルキル、Ｃ1−Ｃ4アルコキシ、Ｃ1−Ｃ4チオアルキル、Ｎ（Ｃ1−Ｃ4アルキル）2であり；
Ｒ35およびＲ36は、互いに独立して、水素、ハロゲン、Ｃ1−Ｃ4アルキル、Ｃ1−Ｃ4アルコキシ、Ｃ1−Ｃ4チオアルキル、Ｃ1−Ｃ4ハロアルキル、ＣＮ、ＮＯ2、Ｃ2−Ｃ6アルカノイル、ベンゾイル、フェニル、−Ｓ−フェニル、フェノキシ、Ｃ2−Ｃ6アルコキシカルボニル、フェノキシカルボニルであり、あるいはＲ35およびＲ36は、ともに−Ｃ（Ｒ39）＝Ｃ（Ｒ40）−Ｃ（Ｒ41）＝Ｃ（Ｒ42）−であり；
Ｒ37は、フェニル、ナフチル、アントラシル、フェナントリルまたはＣ4−Ｃ20ヘテロアリールであり、フェニル、ナフチル、アントラシル、フェナントリルまたはＣ4−Ｃ20ヘテロアリールは、非置換であるか、または１つ以上のＣ1−Ｃ12アルキル、Ｃ1−Ｃ4ハロアルキル、ハロゲン、フェニル、ＯＲ21、ＳＲ22および／またはＮＲ19Ｒ20および／またはＳ−フェニルによって置換されており、置換基ＯＲ21、ＳＲ22および／またはＮＲ19Ｒ20は、フェニル、ナフチル、アントラシル、フェナントリルもしくはＣ4−Ｃ20ヘテロアリール環上のさらなる置換基とともに、またはフェニル、ナフチル、アントラシル、フェナントリルもしくはＣ4−Ｃ20ヘテロアリール環の炭素原子の１つとともに基Ｒ21、Ｒ22、Ｒ20および／またはＲ19を介して５員または６員環を形成することが可能であり、あるいは
ｙが０であれば、Ｒ37は、さらにＣ2−Ｃ6アルコキシカルボニル、フェノキシカルボニルまたはＣＮであり；あるいは
Ｒ38が同時に水素またはＣ1−Ｃ12アルキルでなければ、Ｒ37は、水素またはＣ1−Ｃ12アルキルであり；
Ｒ38は、Ｒ37の意味の１つを有し、あるいは非置換またはＣＮ置換フェニル、Ｃ2−Ｃ6アルカノイル、非置換であるか、またはＣ1−Ｃ6アルキル、フェニル、ＯＲ21、ＳＲ22および／またはＮＲ19Ｒ20によって置換されたベンゾイルであり、あるいはＲ38は、フェノキシカルボニル、ＮＯ2、Ｃ1−Ｃ4ハロアルキルであり、あるいはＲ37およびＲ38は、ＣＯ基と一緒になって、非置換であるか、またはＣ1−Ｃ6アルキル、フェニル、ＯＲ21、ＳＲ22および／またはＮＲ19Ｒ20によって置換された５員または６員環を形成し、前記環は、Ｏ、Ｓ、ＮＲ10および／またはＣＯによって場合により中断されており、１つ以上のベンゾ基が前記環に場合により縮合されており；
Ｒ39、Ｒ40、Ｒ41およびＲ42は、互いに独立して、水素、Ｃ1−Ｃ4アルキル、ハロゲン、フェニル、Ｃ1−Ｃ4アルコキシ、Ｃ1−Ｃ4チオアルキル、−Ｓ−フェニル、フェノキシ、Ｃ2−Ｃ6アルコキシカルボニル、フェノキシカルボニル、ＣＮ、ＮＯ2またはＣ1−Ｃ4ハロアルキルである］の化合物であることを特徴とする潜伏性触媒化合物の使用。
【手続補正２】
【補正対象書類名】特許請求の範囲
【補正対象項目名】請求項２
【補正方法】変更
【補正の内容】
【請求項２】
式ＩまたはＩＩの潜伏性触媒化合物において、
Ｍｅは、Ｓｎ、Ｂｉ、Ａｌ、ＺｒまたはＴｉであり；
ｍは、１からＭｅの配位数までの整数を表し；
ｘは、０〜（ｍ−１）の整数であり；
Ａは、Ｃ1−Ｃ20アルキル、ハロゲン、Ｃ1−Ｃ20アルコキシ、Ｃ2−Ｃ20アルカノイルオキシまたはＣ6−Ｃ18アリールであり；
ＰＩは、互いに独立して、式（Ｚ）、（Ｂ）、（Ｃ）、（Ｄ）、（Ｅ）、（Ｆ）、（Ｇ）、（Ｌ）または（Ｍ）の基であり；
ｙは、０または１であり；
Ｒ1、Ｒ2およびＲ3は、互いに独立して、水素またはＣ1−Ｃ6−アルキルであり；
Ｒ4は、水素であり、またはＲ3およびＲ4は、ともにＳであり；
Ｒ5は、水素であり；
Ｒ6は、水素であり；
Ｙ1およびＹ3は、互いに独立して、Ｏ、（ＣＯ）Ｏ、Ｃ1−Ｃ20アルキレン、Ｃ1−Ｃ20アルキレン−Ｏ−またはＣ1−Ｃ20アルキレン−（ＣＯ）Ｏ−であり；
Ｙ2は、直接結合であり；
Ｒ7およびＲ8は、互いに独立して、Ｃ1−Ｃ6−アルキルであり、またはＲ7およびＲ8は、それらが結合した炭素原子と一緒になって、シクロヘキシル環を形成し；
Ｒ11、Ｒ12、Ｒ13、Ｒ14およびＲ15は、水素であり；
Ｒ16は、フェニルであり；
Ｒ17は、ＣＮであり；
Ｒ19およびＲ20は、それらが結合したＮ原子と一緒になって、
【化８】
2011501774.tif 000008
であり；
Ｒ30は、水素、Ｃ1−Ｃ4アルキルであり、またはフェニルもしくはベンゾイルフェニルによって置換されたアルキルであり；
Ｒ31は、Ｃ1−Ｃ12アルキル、フェニル、または１つ以上のＲ33によって置換されたフェニルであり；
Ｒ32は、Ｃ1−Ｃ12アルキル、Ｃ1−Ｃ4アルコキシ、フェニル、または１つ以上のＲ33によって置換されたフェニルであり；
Ｒ33は、Ｃ1−Ｃ8アルコキシまたはベンゾイルであり；
Ｒ37は、非置換であるか、または１つ以上のＣ1−Ｃ12アルキルによって置換されたフェニルであり、あるいはｙが０である場合は、Ｒ37は、さらにＣＮであり；
Ｒ38は、Ｒ37の意味の１つを有する、請求項１に記載の使用。